(57)【要約】      （修正有）【課題】バックホーのアーム先端に既存のバケットは付けたままの状態で簡単に挟みタイプ等の各種アタッチメントが簡単に脱着出来るようアタッチメント専用のピンホールを設けた装着機具を提供する。【解決手段】バックホーアームの先端両側面にピンを通して取り付け固定出来るよう装着機具３にバケット連結用の穴９リンク連結用の穴１０を設け、前記それぞれの連結用の穴下にアタッチメント連結専用の穴８を設けた構造で、バケット連結用の穴９の回りを突起１１させた形状のアタッチメント専用の装着機具。。【選択図】図１
0003181864.tif 000002
【実用新案登録請求の範囲】
【請求項１】
バックホーのアーム▲１▼の先端両側面に取り付け固定出来るよう  側面板▲３▼にバケットピン▲４▼が通せる穴▲６▼とリンクピン▲５▼が通せる穴▲７▼を設けその下部にアタッチメント専用のピン穴▲８▼を設けた  アタッチメント専用装着機具
【請求項２】
バケット側ピン穴外輪部▲１５▼はめ込める大きさのピン穴▲９▼と  アーム側リンクピン穴外輪部にはめ込める大きさのピン穴▲１０▼を側面板▲３▼に設け  ピン穴▲９▼の縁をバケット側ピン穴に突起させた形状にし  ▲９▼▲１０▼のピン穴の下部にアタッチメント専用のピン穴▲８▼を設けたアタッチメント専用装着機具
【請求項３】
請求項３の考案はピンの両端に複数の止めピンの穴を設けたピン
【請求項４】
請求項４の考案はアーム先端両側下面にアタッチメント専用のピン穴▲８▼を設けたプレート▲１６▼を溶接したアーム
【請求項５】
請求項５の考案はアーム先端下面にアタッチメントと連結する為の鋼管▲１９▼を取り付けた形状のアーム
【考案の詳細な説明】
【発明の詳細な説明】
【技術分野】
【０００１】本発明は、建設機械のバックホーのアームの先端に通常のバケットとは別にアタッチメントが簡単に取り付けられるようにした専用の機具の考案である【０００２】従来、バックホーのバケットを交換する作業は大変で不慣れだとなかなかうまく出来ない、まして  はさみバケットの交換はそれ以上に難しく作業の途中で一寸だけはさみに替えたりバケットに替えたりするのは容易な事ではなかった、また今使われているはさみバケット等の取り付けには必ずバケットピンを外さないと取り付けることはできなかった、またバケット側ピン穴外輪部に掛けて固定するという方法は無かった。
【発明が解決しようする課題】
【０００３】本考案は  大きな作業性を有する建設機械のアームの先端にバケットとは別に  各種アタッチメントを簡単に装着出来るようにすることによって作業性を高め  利用分野を広め  経費の削減と建設機械の有効利用を図ることを目的とする発明である。
【課題を解決するための手段】
【０００４】この課題を解決するための請求項１の考案は、バックホーのアーム▲１▼先端両側面に取り付け固定出来るよう  側面板▲３▼にバケットピン▲４▼が通せる穴▲６▼とリンクピン▲５▼が通せる穴▲７▼を設け  それら▲４▼▲５▼のピンで左右の側面板▲３▼をアーム▲１▼と連結出来るようにし  側面板▲３▼の下部にアタッチメント装着専用のピン▲７▼が通せる穴▲８▼を設けた構造で左右一対で一組とした構造である。
【０００５】請求項２の考案は  バケット側のピン穴外輪▲１５▼にはめ込める大きさのピン穴▲９▼と  アーム側リンクピン穴外輪部にはめ込める大きさのピン穴▲１０▼を側面板▲３▼に設け  バケット外輪用ピン穴▲９▼の縁▲１１▼はバケット側に幅広く突起▲１０▼させた形状で  ピン穴▲９▼▲１０▼の下部にアタッチメント専用のピン穴▲８▼を設け左右一対を一組とした構造のアタッチメント専用の装着機具
【０００６】請求項３の考案はバケットピン▲４▼リンクピン▲５▼の長さを通常より長くし  ピンの片止めの鍔▲１３▼をなくし  両サイドに設けた止めピンの穴▲１４▼を２ヶ所ずつ  または１か所と２ヶ所としたピン
【０００７】請求項４の考案はアーム先端両側下面にアタッチメント専用ピン穴▲８▼を設けたプレート▲１６▼を設置した構造のアーム
【０００８】請求項５の考案はアーム先端下面にバケットピンと並行にアタッチメント専用のピンホールとして鋼管▲１７▼を設置したアーム
本発明を利用実施することによりバケット▲２▼とは別に取り付ける構造であるため作業の途中で挟む為のアタッチメント等を用意に装着したり外したり出来る、本案のアタッチメント専用のピンホール▲８▼があることによって他さまざまのアタッチメントをバケット▲２▼を外すことなく強固に装着出来るようになり  ひいては作業時間の短縮  経費の削減になり  高価で高い作業能力のある建設機械の利用分野が広がり  多くの人の役にたちこの連結用の穴があることによって又新しい便利なアタッチメントが作り出させる可能性を有する。
【考案を実施するための最良の形態】
【０００６】請求項１の発明を利用実施するには  既存のバケットピン▲４▼リンクピン▲５▼を長くしたピンで  側面板▲３▼を両サイドにおいて連結し  専用のアタッチメントをピン穴▲８▼で連結して使用する  この場合本案  請求項▲３▼の両通しのピンを使うことにより通常の片止めのピンのようにいったん外すことなく請求項▲１▼の機具を装着出来る【０００７】請求項２の考案はバケット側両内側のピン穴外輪部に本案の側面板▲３▼に設けられたピン穴▲９▼をはめ込みアーム▲１▼バケットピン▲４▼で連結する  次ピン穴▲１０▼をアーム側の両リンクピン穴外輪部にはめ込みリンクピンでリンクと連結する  連結された側面板▲３▼のピン穴▲８▼とアタッチメント側のピン穴をピン▲７▼で連結する  本案の装着機具はアタッチメントを装着していなくても  付けたままを基本とする。【０００８】請求項３の考案はピンの両側を止め板の鍔をなくし  両通しとし止めのピン穴▲１４▼を複数設けたことにより  既存のバケット等は装着したまま他のアタッチメントを足して次の止めピン穴▲１４▼で固定出来るようにした考案である【０００９】請求項４の考案はバックホーのアーム先端下面にバケットピンと並行にピンが通せるピン穴▲８▼を設けたプレート▲１６▼を取り付け構造でアタッチメントをピン穴▲８▼でピンを通して連結する。【００１０】請求項５の考案はバックホーのアーム先端下面に専用のピンを通すための鋼管を取り付け  その鋼管▲１７▼にアタッチメントをピンで連結する。【００１１】本案を使用することによって通常のバケットとは別に簡単に挟む為のアタッチメントを簡単に装着出来るようになり、アーム先端に強固に取り付ける事が出来るようになったため本案を利用した新たな考案が生まれる可能性を有し  労力や時間  経費の削減になる
【図面の簡単な説明】
【００１１】
【図１】請求項２のピン穴外輪部に装着出来るようにした機具の側面図
【図２】請求項１の側面図
【図３】請求項２の平面図
【図４】請求項２の正面図
【図５】請求項２のＡ−Ａ断面図
【図６】請求項１を装着した状態の正面図
【図７】請求項２を装着した状態の正面図
【図８】請求項２を装着した状態のアーム先端の斜視図
【図９】通常のピンの平面図
【図１０】請求項３のピン穴４か所の平面図
【図１１】請求項３のピン穴３か所の平面図
【図１２】請求項４のアーム先端の正面図
【図１３】請求項４のアーム先端の側面図
【図１４】請求項４のアーム先端の平面図
【図１５】請求項４のアーム先端の底面図
【図１６】請求項５のアーム先端の正面図
【図１７】請求項５のアーム先端の側面図
【図１８】請求項５のアーム先端の平面図
【図１９】請求項５のアーム先端の底面図
【符号の説明】
【００２０】▲１▼  アーム
▲２▼  バケット
▲３▼  側面板
▲４▼  バケットピン
▲５▼  リンクピン
▲６▼  バケットピン穴
▲７▼  リンクピン穴
▲８▼  アタッチメント装着用ピン穴
▲９▼  バケット側ピン穴外輪部用ピン穴
▲１０▼  アーム側リンクピン外輪部用ピン穴
▲１１▼  縁の突起部分
▲１２▼  通常のピンの鍔
▲１３▼  ピンに設けた止めピンの穴
▲１４▼  アタッチメント
▲１５▼  バケット側ピン穴外輪部
▲１６▼  プレート
▲１７▼  鋼管
【図１】
0003181864.tif 000003
【図２】
0003181864.tif 000004
【図３】
0003181864.tif 000005
【図４】
0003181864.tif 000006
【図５】
0003181864.tif 000007
【図６】
0003181864.tif 000008
【図７】
0003181864.tif 000009
【図８】
0003181864.tif 000010
【図９】
0003181864.tif 000011
【図１０】
0003181864.tif 000012
【図１１】
0003181864.tif 000013
【図１２】
0003181864.tif 000014
【図１３】
0003181864.tif 000015
【図１４】
0003181864.tif 000016
【図１５】
0003181864.tif 000017
【図１６】
0003181864.tif 000018
【図１７】
0003181864.tif 000019
【図１８】
0003181864.tif 000020
【図１９】
0003181864.tif 000021
【手続補正書】
【提出日】平成24年5月9日(2012.5.9)
【手続補正１】
【補正対象書類名】実用新案登録請求の範囲
【補正対象項目名】全文
【補正方法】変更
【補正の内容】
【実用新案登録請求の範囲】
【請求項１】
バックホーアーム▲１▼の先端両側面にピンを通して取り付け固定出来るよう装着機具▲３▼にバケット連結用の穴▲９▼  リンク連結用の穴▲１０▼を設け  ▲９▼▲１０▼それぞれの下にアタッチメント連結専用の穴▲８▼を設けた構造で  バケット連結用の穴▲９▼の回りを突起▲１１▼させた形状のアタッチメント専用の装着機具。